(57)【特許請求の範囲】
【請求項１】
貯湯槽と、
前記貯湯槽内に熱量を供給する熱量供給手段と、
夜間の蓄熱動作により前記貯湯槽内に蓄える熱量を設定する蓄熱量設定手段と、
給湯熱量の実績値を記憶する給湯熱量記憶手段と、
前記蓄熱量設定手段で設定された蓄熱量が、特定時刻において、前記貯湯槽内に蓄熱されるよう前記熱量供給手段の運転を制御する制御手段と、を備え、
前記蓄熱量設定手段は、
給湯熱量記憶手段が記憶した給湯熱量の過去の実績値を基に、１年を春夏秋冬の４つの期間に分割して期間ごとに１日の蓄熱量を設定する期間別蓄熱量設定手段と、
蓄熱された熱量を消費する日が該当する期間を判断する期間判断手段とを有し、
前記給湯熱量記憶手段が記憶した１年前の第ｉ＋１期間の１日の給湯熱量と、今年の第ｉ期間の１日の給湯熱量と、１年前の第ｉ期間の１日の給湯熱量を用いて、第ｉ＋１期間の蓄熱量を設定することを特徴とする給湯システム。
【請求項２】
１日の給湯熱量の過去の実績値の、１年を複数に分割した期間ごとの平均値を基に、蓄熱量を設定することを特徴とする請求項１に記載の給湯システム
【請求項３】
複数年にわたる１日の給湯熱量の過去の実績値の、各年ごとに１年を複数に分割した期間ごとの平均値を求め、これらを、各年により係数をかけた期間ごとの加重平均値を基に、蓄熱量を設定することを特徴とする請求項１に記載の給湯システム
【請求項４】
近年の値ほど重み付けを大きくした、請求項３に記載の給湯システム
【請求項５】
日期間ルール入力手段を有し、
前記期間別蓄熱量設定手段、および前記期間判断手段は、期間ルール入力手段により入力されたルールに従い日が該当する期間を決めることを特徴とする請求項１〜請求項４のいずれかに記載の給湯システム
【請求項６】
前記蓄熱量設定手段は、蓄熱された熱量を消費する日が該当する日の特性を判断する日特性判断手段と、を有することを特徴とする請求項１に記載の給湯システム。
【請求項７】
１日の給湯熱量の過去の実績値の、１年を複数に分割した期間ごと、日の特性ごとの平均値を基に、蓄熱量を設定することを特徴とする請求項６に記載の給湯システム
【請求項８】
日特性ルール入力手段を有し、
前記日特性別蓄熱量設定手段、前記期間日特性別蓄熱量設定手段および前記日特性判断手段は、日特性ルール入力手段により入力されたルールに従い日の特性を決めることを特徴とする請求項６または請求項７に記載の給湯システム
【請求項９】
蓄熱量設定手段により設定された蓄熱量を表示する設定蓄熱量表示手段と
蓄熱量修正入力手段を有し
蓄熱量設定手段は、蓄熱量修正入力手段により修正された値を蓄熱量として新たに設定することを特徴とする請求項１〜請求項８のいずれかに記載の給湯システム
【発明の詳細な説明】
【技術分野】
【０００１】
この発明は、貯湯槽に高温の湯をためて給湯する貯湯式給湯システムに関するものである。
【背景技術】
【０００２】
従来の貯湯式給湯システムには、曜日によって蓄熱量(貯湯量、沸上量)を設定しているものがある（例えば、特許文献１参照。）。
【０００３】
【特許文献１】特開２００７−１２０８１７号公報（請求項１）
【発明の開示】
【発明が解決しようとする課題】
【０００４】
このような給湯システムにおいては、曜日による給湯熱量の変動に着目したものであるが、季節による給湯熱量の変動を考慮していない。そのため、給湯熱量が多い冬場においては湯切れの心配があり、給湯熱量が少ない夏場においては、必要以上の湯を沸かし、消費エネルギーの無駄が発生するという問題があった。
この発明は、上記のよう課題を解決するためになされたもので、第１の目的は季節による給湯熱量の変動に対応した蓄熱をすることで湯切れの心配がなく、かつ、消費エネルギーの無駄のない給湯システムを得るものである。
【課題を解決するための手段】
【０００５】
この発明に係る給湯システムは、貯湯槽と、貯湯槽内に熱量を供給する熱量供給手段と、夜間の蓄熱動作により貯湯槽内に蓄える熱量を設定する蓄熱量設定手段と、給湯熱量の実績値を記憶する給湯熱量記憶手段と、蓄熱量設定手段で設定された蓄熱量が、特定時刻において、貯湯槽内に蓄熱されるよう熱量供給手段の運転を制御する制御手段と、を備え、蓄熱量設定手段は、給湯熱量記憶手段が記憶した給湯熱量の過去の実績値を基に、１年を春夏秋冬の４つの期間に分割して期間ごとに１日の蓄熱量を設定する期間別蓄熱量設定手段と、蓄熱された熱量を消費する日が該当する期間を判断する期間判断手段とを有し、前記給湯熱量記憶手段が記憶した１年前の第ｉ＋１期間の１日の給湯熱量と、今年の第ｉ期間の１日の給湯熱量と、１年前の第ｉ期間の１日の給湯熱量を用いて、第ｉ＋１期間の蓄熱量を設定する。
【発明の効果】
【０００６】
この発明の給湯システムは、季節による給湯熱量の変動に対応した蓄熱をすることで湯切れの心配がなく、かつ、消費エネルギーの無駄がないという効果がある。
【発明を実施するための最良の形態】
【０００７】
実施の形態１．
図１はこの発明の実施の形態における給湯システムを示すものである。
図において、貯湯槽１の下部と加熱ユニット２との間が沸上行き配管５で配管接続され、加熱ユニット２と貯湯槽1の上部の間が沸上戻り配管６で接続される。貯湯槽１の下部には市水を供給する給水配管３が、貯湯槽１の上部には貯湯槽１の上部に貯められた温水を外部に供給する給湯配管４が接続されている。
貯湯槽１には、高さ方向に間隔をおいて複数の温度センサ７ａ〜７ｃが設けられ、温度センサ７ａ〜７ｃの情報は蓄熱量算出手段８に送られる。蓄熱量算出手段８は温度センサ７ａ〜７ｃの情報から貯湯槽１の内部の蓄熱量現在値を算出し、制御手段１０へ送る。制御手段１０へは、蓄熱量設定手段９からの蓄熱量設定値も送られ、制御手段１０は、蓄熱量現在値と蓄熱量設定値を基に加熱ユニット２を制御する。なお、蓄熱量設定手段９には期間別蓄熱量設定手段１１と期間判断手段１２が含まれている。
このような給湯システムでは、電力料金の安い夜間の時間帯に加熱ユニット２を運転することで、貯湯槽１の下部の冷水を加熱して貯湯槽１の上部に温水を蓄える（沸上動作）。そして、昼間の時間帯に、貯湯槽１の上部の温水を、給湯配管４を通じて消費する（給湯動作）。この夜間の沸上動作ついて、図２に示すフローチャートを用いて説明する。
工程１０１では、期間別蓄熱量設定手段１１が、1年を４つに分割した期間、すなわち春、夏、秋、冬の季節に対応した蓄熱量の設定値Ｑｓｓを、例えば図３に示すような、予め決められたテーブルを用いて設定する。
工程１０２では、期間判断手段１２が、沸上動作に続く昼の時間帯の日付から、該当する季節を判断する。
工程１０３では、蓄熱量設定手段９が、期間別蓄熱量設定手段１１が設定した季節ごとの蓄熱量の設定値と、期間判断手段１２が判断した季節とから、今回の沸上動作の目標値である、蓄熱量設定値Ｑｓを設定する。
工程１０４において、加熱手段２の運転を開始する。
工程１０５で、制御手段１０は蓄熱量算出手段８から、蓄熱量現在値Ｑｐを取得する。
工程１０６では、蓄熱量現在値Ｑｐと蓄熱量設定値Ｑｓを比較し、Ｑｐ≧Ｑｓであれば、工程１０７に進み、それ以外は工程１０５へ戻る。
工程１０７で、加熱手段２の運転を停止して、沸上動作を終了する。
このようにして沸上動作を行うので、沸上動作終了時には、季節に応じた蓄熱量が蓄熱される。そのため、季節による給湯熱量の変動に対応した蓄熱をすることで湯切れの心配がなく、かつ、消費エネルギーの無駄がないという効果がある。
【０００８】
実施の形態２．
以上の実施の形態１では、季節に対応した蓄熱量の設定値を、予め決められたテーブルを用いて設定したものであるが、次に、別の方法で設定する実施の形態を示す。以下、実施の形態１と同様な部分は説明を省略し、この実施の形態の特徴的な部分を説明する。
図４はこの発明の実施の形態における給湯システムを示すものである。図１に示した給湯システムの構成に加え、給湯熱量算出手段１３と給湯熱量記憶手段１４とが設けられている。また、信号の流れは、蓄熱量算出手段８の信号が給湯熱量算出手段１３へ送られ、給湯熱量算出手段１３の信号が給湯熱量記憶手段１４へ送られ、給湯熱量記憶手段１４の信号は蓄熱量設定手段９へと送られるようになっている。
このような給湯システムでは、実施の形態１と同様に、夜間に沸上動作を行い、昼間に給湯動作を行う。沸上動作の終了時と、その後の給湯動作の後の沸上動作の開始時に、給湯熱量算出手段１３は、貯湯槽１の蓄熱量情報を蓄熱量算出手段８から取り込む。そして、沸上動作終了時の蓄熱量から、次の沸上動作開始時の蓄熱量を差し引いた、蓄熱量の減少量を、給湯動作の１日の給湯熱量として算出する。給湯熱量記憶手段１４は、給湯熱量算出手段１３が算出した１日の給湯熱量を日付情報と共に記憶する。
蓄熱量設定手段９に含まれる期間別蓄熱量設定手段１１は、給湯熱量記憶手段１４に記憶された1日あたりの給湯熱量を、その日付情報に基づいて、1年を４つに分割した期間、すなわち春、夏、秋、冬の季節によって分類し、季節ごとに1日あたりの給湯熱量の平均値を求める。そして、図５に示すような、季節と蓄熱量とを対応させたテーブルデータを作成する。テーブルデータ作成のフローを図６に示す。
そして、夜間の沸上動作を行う際に、図２に示すフローチャートの、工程１０１の期間別蓄熱量の設定において、期間別蓄熱量設定手段１１は、過去の給湯熱量のデータから作成したテーブルデータを使用する。
このような給湯システムでは、過去の給湯熱量の季節ごと実績を基に蓄熱量を決めるようにしているので、ユーザーによる給湯動作の違いを学習して、湯切れの心配がなく、かつ、消費エネルギーの無駄のない給湯システムが得られる。
また、過去の給湯熱量の季節ごとの平均値を使用して蓄熱量を決めるようにしているので、過去の給湯熱量の実績にばらつきがあったとしても安定して蓄熱量を設定できる。
なお、ここでは過去の給湯熱量の季節ごとの平均値をテーブルデータに使用したが、平均値に加えてばらつきも考慮した値を使用したり、一定の余裕量を加えたり、余裕を与える係数をかけてもよい。
【０００９】
実施の形態３．
次に、図２の工程１０１の期間別蓄熱量の設定において使用するテーブルデータの別の作成方法を示す。
この実施の形態では、図４に示した構成を用い、実施の形態２と同様に、夜間の沸上動作の終了時と、その後の給湯動作の後の沸上動作の開始時に、給湯熱量算出手段１３は、貯湯槽１の蓄熱量情報を蓄熱量算出手段８から取り込む。そして、沸上動作終了時の蓄熱量から、次の沸上動作開始時の蓄熱量を差し引いた、蓄熱量の減少量を、給湯動作の１日の給湯熱量として算出する。給湯熱量記憶手段１４は、給湯熱量算出手段１３が算出した１日の給湯熱量を日付情報と共に記憶する。
蓄熱量設定手段９に含まれる期間別蓄熱量設定手段１１は、給湯熱量記憶手段１４に記憶された1日あたりの給湯熱量を、その日付情報に基づいて、日付の年毎に分類し、さらに、1年を４つに分割した期間、すなわち春、夏、秋、冬の季節によって分類する。そして、それぞれの年毎に、季節ごとの1日あたりの給湯熱量の平均値を求める。これらからさらに、年による係数をかけて、季節ごとに1日あたりの給湯熱量の加重平均値を求める。そして、図５に示すような、季節と蓄熱量とを対応させたテーブルデータを作成する。具体的には以下の式を使用する。
【００１０】
【数１】
0005163059.tif 000002
そして、夜間の沸上動作を行う際に、図２に示すフローチャートの、工程１０１の期間別蓄熱量の設定において、期間別蓄熱量設定手段１１は、過去の給湯熱量のデータから作成したテーブルデータを使用する。
このような給湯システムでは、過去の給湯熱量の実績を学習する際に、年による係数の重み付けを変えることができるので、年による給湯熱量の変動の中から、より影響的な年を重視した学習ができ、湯切れの心配がなく、かつ、消費エネルギーの無駄のない給湯システムが得られる。
また、年による係数に、近年に対する係数ほど大きな値を用いているため、過去の給湯熱量の実績を反映させつつ、近年の生活スタイルの変化や気候の変動によるような、給湯熱量の変化に対応することができる。
実施の形態４．
図２の工程１０１の期間別蓄熱量の設定において使用するテーブルデータの別の作成方法を示す。
この実施の形態では、図４に示した構成を用い、実施の形態２と同様に、夜間の沸上動作の終了時と、その後の給湯動作の後の沸上動作の開始時に、給湯熱量算出手段１３は、貯湯槽１の蓄熱量情報を蓄熱量算出手段８から取り込む。そして、沸上動作終了時の蓄熱量から、次の沸上動作開始時の蓄熱量を差し引いた、蓄熱量の減少量を、給湯動作の１日の給湯熱量として算出する。給湯熱量記憶手段１４は、給湯熱量算出手段１３が算出した１日の給湯熱量を日付情報と共に記憶する。
蓄熱量設定手段９に含まれる期間別蓄熱量設定手段１１は、給湯熱量記憶手段１４に記憶された1日あたりの給湯熱量を、その日付情報に基づいて、日付の年毎に分類し、さらに、1年を４つに分割した期間、すなわち春、夏、秋、冬の季節によって分類する。そして、それぞれの年毎に、季節ごとの1日あたりの給湯熱量の平均値を求める。
給湯熱量記憶手段１４に、今年の第ｉ期間までの過去の給湯熱量の実績データが蓄えられているときに、第ｉ+1期間の蓄熱量を設定するときを考える。
期間別蓄熱量設定手段１１は、1年前の第ｉ+1期間のデータと、今年の第ｉ期間のデータと、１年前の第ｉ期間のデータを用いて、第ｉ+1期間の蓄熱量を設定する。例えば、１年前の第ｉ+1期間の実績の平均値に、第ｉ期間の１年前から今年への変化率を掛け合わせて、第ｉ+1期間の蓄熱量として設定する。具体的には、以下の式を用いる。
【００１１】
【数２】
0005163059.tif 000003
このようにすることで、過去の給湯熱量の実績に、今年の過去からの変化を反映することができ、今年のデータのない期間についても、精度よく蓄熱量を設定できる。
実施の形態５．
上述の実施の形態では、期間について、1年を4つに分割した、春夏秋冬の四季として説明してきたが、期間の分割方法はこれに限るものではない。ユーザーの使用実態や、システムの設置場所により、四季ではなく二十四節季や、月単位・週単位に分割したり、季節に雨季、乾季、猛暑期、極寒期などを加えるなど、期間の分割方法にはさまざまな方法が考えられる。
次の実施の形態では、ユーザーの使用実態や、システムの設置場所に適した期間の分割方法を得る実施の形態を示す。
図７はこの発明の実施の形態における給湯システムを示すものである。図４に示した給湯システムの構成に加え、期間ルール入力手段１５が設けられている。期間ルール入力手段１５は、操作盤のタッチパネルやキーボードなど入力手段を持ち、1年を分割して期間を決めるルールを選択肢の中から選択したり、プログラミング言語などを用いてユーザーが独自のルールを入力することができるものである。期間ルール入力手段１５で入力されたルールは、蓄熱量設定手段９に送られる。そして、期間別蓄熱量設定手段１１が行うテーブルデータ作成の際や、期間判断手段１２が行う期間の判断の際に、期間ルール入力手段１５で入力されたルールが用いられる。
このように、ユーザーが入力したルールに従って蓄熱量が設定されるので、ユーザーの使用実態や、システムの設置場所に適した対応した蓄熱をすることができる。
実施の形態６．
図８は別の実施の形態における給湯システムを示すものである。
図において、貯湯槽１の下部と加熱ユニット２との間が沸上行き配管５で配管接続され、加熱ユニット２と貯湯槽1の上部の間が沸上戻り配管６で接続される。貯湯槽１の下部には市水を供給する給水配管３が、貯湯槽１の上部には貯湯槽１の上部に貯められた温水を外部に供給する給湯配管４が接続されている。
貯湯槽１には、高さ方向に間隔をおいて複数の温度センサ７ａ〜７ｃが設けられ、温度センサ７ａ〜７ｃの情報は蓄熱量算出手段８に送られる。蓄熱量算出手段８は温度センサ７ａ〜７ｃの情報から貯湯槽１の内部の蓄熱量現在値を算出し、制御手段１０へ送る。制御手段１０へは、蓄熱量設定手段９からの蓄熱量設定値も送られ、制御手段１０は、蓄熱量現在値と蓄熱量設定値を基に加熱ユニット２を制御する。なお、蓄熱量設定手段９には期間日特性別蓄熱量設定手段１６と期間判断手段１２、日特性判断手段１７が含まれている。
このような給湯システムでは、電力料金の安い夜間の時間帯に加熱ユニット２を運転することで、貯湯槽１の下部の冷水を加熱して貯湯槽１の上部に温水を蓄える（沸上動作）。そして、昼間の時間帯に、貯湯槽１の上部の温水を、給湯配管４を通じて消費する（給湯動作）。この夜間の沸上動作ついて、図９に示すフローチャートを用いて説明する。
工程２０１では、期間日特性別蓄熱量設定手段１６が、1年を４つに分割した期間、すなわち春、夏、秋、冬の季節と、日の特性、すなわち平日、休日の区別に対応した蓄熱量の設定値Ｑｓｓを、例えば図１０に示すような、予め決められたテーブルを用いて設定する。
工程２０２では、期間判断手段１２が、沸上動作に続く昼の時間帯の日付から、該当する季節を判断する。
工程２０３では、日特性判断手段１７が、沸上動作に続く昼の時間帯の日付から、該当する日特性を判断する。
工程２０４では、蓄熱量設定手段９が、期間日特性別蓄熱量設定手段１６が設定した季節と日特性ごとの蓄熱量の設定値と、期間判断手段１２が判断した季節と、日特性判断手段１７が判断した日特性から、今回の沸上動作の目標値である、蓄熱量設定値Ｑｓを設定する。
工程２０５において、加熱手段２の運転を開始する。
工程２０６で、制御手段１０は蓄熱量算出手段８から、蓄熱量現在値Ｑｐを取得する。
工程２０７では、蓄熱量現在値Ｑｐと蓄熱量設定値Ｑｓを比較し、Ｑｐ≧Ｑｓであれば、工程２０８に進み、それ以外は工程２０６へ戻る。
工程２０８で、加熱手段２の運転を停止して、沸上動作を終了する。
このようにして沸上動作を行うので、沸上動作終了時には、季節と日特性に応じた蓄熱量が蓄熱される。そのため、季節および日の特性による給湯熱量の変動に対応した蓄熱をすることで湯切れの心配がなく、かつ、消費エネルギーの無駄がないという効果がある。
実施の形態７．
以上の実施の形態６では、季節と日の特性に対応した蓄熱量の設定値を、予め決められたテーブルを用いて設定したものであるが、次に、別の方法で設定する実施の形態を示す。以下、実施の形態６と同様な部分は説明を省略し、この実施の形態の特徴的な部分を説明する。
図１１はこの発明の実施の形態における給湯システムを示すものである。図９に示した給湯システムの構成に加え、給湯熱量算出手段１３と給湯熱量記憶手段１４とが設けられている。また、信号の流れは、蓄熱量算出手段８の信号が給湯熱量算出手段１３へ送られ、給湯熱量算出手段１３の信号が給湯熱量記憶手段１４へ送られ、給湯熱量記憶手段１４の信号は蓄熱量設定手段９へと送られるようになっている。
このような給湯システムでは、実施の形態６と同様に、夜間に沸上動作を行い、昼間に給湯動作を行う。沸上動作の終了時と、その後の給湯動作の後の沸上動作の開始時に、給湯熱量算出手段１３は、貯湯槽１の蓄熱量情報を蓄熱量算出手段８から取り込む。そして、沸上動作終了時の蓄熱量から、次の沸上動作開始時の蓄熱量を差し引いた、蓄熱量の減少量を、給湯動作の１日の給湯熱量として算出する。給湯熱量記憶手段１４は、給湯熱量算出手段１３が算出した１日の給湯熱量を日付情報と共に記憶する。
蓄熱量設定手段９に含まれる期間別蓄熱量設定手段１１は、給湯熱量記憶手段１４に記憶された1日あたりの給湯熱量を、その日付情報に基づいて、1年を４つに分割した期間、すなわち春、夏、秋、冬の季節によって分類し、さらに、日特性、すなわち、平日、休日の別により分類する。そして、季節ごと日特性ごとに1日あたりの給湯熱量の平均値を求め、図１２に示すような、季節と日特性と蓄熱量とを対応させたテーブルデータを作成する。テーブルデータ作成のフローを図１３に示す。
そして、夜間の沸上動作を行う際に、図９に示すフローチャートの、工程２０１の期間別蓄熱量の設定において、期間日特性別蓄熱量設定手段１６は、過去の給湯熱量のデータから作成したテーブルデータを使用する。
このような給湯システムでは、過去の給湯熱量の季節および日特性ごとの実績を基に蓄熱量を決めるようにしているので、ユーザーによる給湯動作の違いを学習して、湯切れの心配がなく、かつ、消費エネルギーの無駄のない給湯システムが得られる。
また、過去の給湯熱量の季節および日特性ごとの平均値を使用して蓄熱量を決めるようにしているので、過去の給湯熱量の実績にばらつきがあったとしても安定して蓄熱量を設定できる。
なお、ここでは過去の給湯熱量の季節および日特性ごとの平均値をテーブルデータに使用したが、平均値に加えてばらつきも考慮した値を使用したり、一定の余裕量を加えたり、余裕を与える係数をかけてもよい。
実施の形態８．
上述の実施の形態では、日の特性について、平日、休日の別として説明してきたが、日の特性の分類方法はこれに限るものではない。ユーザーの使用実態や地域特性により、曜日ごとの区別や、毎月の第２土曜日とか毎月２５日といった特定の日を別扱いしたり、太陰暦をベースにしたり、日の特性の分類方法にはさまざまな方法が考えられる。
次の実施の形態では、ユーザーの使用実態や、システムの設置場所に適した期間の分割方法を得る実施の形態を示す。
図１４はこの発明の実施の形態における給湯システムを示すものである。図１１に示した給湯システムの構成に加え、期間ルール入力手段１５と日特性ルール入力手段１８が設けられている。期間ルール入力手段１５と日特性ルール入力手段１８は、操作盤のタッチパネルやキーボードなど入力手段を持ち、1年を分割して期間を決めるルールや日の特性の分類を決めるルールを選択肢の中から選択したり、プログラミング言語などを用いてユーザーが独自のルールを入力することができるものである。期間ルール入力手段１５と日特性ルール入力手段１８で入力されたルールは、蓄熱量設定手段９に送られる。そして、期間別蓄熱量設定手段１１が行うテーブルデータ作成の際や、期間判断手段１２および日特性判断手段１７が行う判断の際に、この入力されたルールが用いられる。
このように、ユーザーが入力したルールに従って蓄熱量が設定されるので、ユーザーの使用実態や、システムの設置場所に適した対応した蓄熱をすることができる。
実施の形態９．
上述の実施の形態では、季節に対応した蓄熱量の設定値を、予め決められたテーブルや学習で作成したテーブルを用いて設定したものであるが、次に、別の方法で設定する実施の形態を示す。
図１５はこの発明の実施の形態における給湯システムを示すものである。図１に示した給湯システムの構成に加え、蓄熱量設定値表示手段１９と蓄熱量設定値修正手段２０とが設けられている。蓄熱量設定値表示手段１９は、操作盤に設けられたディスプレーやメーターなどの表示装置、蓄熱量設定値修正手段２０はキーボードやダイヤルなどの入力装置からなっている。信号の流れは、蓄熱量設定手段９から蓄熱量設定値表示手段１９へと蓄熱量設定値信号が、蓄熱量設定値修正手段２０から蓄熱量設定手段９へと蓄熱量設定値修正信号が送られるようになっている。
このような給湯システムでは、蓄熱量設定値表示手段１９に現在の蓄熱量設定値が表示されている。ユーザーは表示を見て、必要に応じて、蓄熱量設定値修正手段２０を用いて、蓄熱量設定値の修正値を入力する。このとき、蓄熱量は単位がジュールで示されるような熱量でも、例えば４０℃の湯を何リットル供給できるかを示すような、供給可能湯量でもよい。
夜間の沸上動作ついて、図１６に示すフローチャートを用いて説明する。
工程３０１では、沸上動作開始前に蓄熱量設定値修正手段２０を用いた蓄熱量設定値の修正があったかどうかを判断する。あれば、工程３０２に進み、それ以外は工程３０３に進む。
工程３０２では、蓄熱量設定値Ｑｓを、蓄熱量設定値修正手段２０から入力された修正値に設定する。その後、工程３０６へ進む。
工程３０３では、期間別蓄熱量設定手段１１が、1年を４つに分割した期間、すなわち春、夏、秋、冬の季節に対応した蓄熱量の設定値Ｑｓｓを、例えば図３に示すような、予め決められたテーブルを用いて設定する。
工程３０４では、期間判断手段１２が、沸上動作に続く昼の時間帯の日付から、該当する季節を判断する。
工程３０５では、蓄熱量設定手段９が、期間別蓄熱量設定手段１１が設定した季節ごとの蓄熱量の設定値と、期間判断手段１２が判断した季節とから、今回の沸上動作の目標値である、蓄熱量設定値Ｑｓを設定する。
工程３０６において、加熱手段２の運転を開始する。
工程３０７では、沸上動作中に蓄熱量設定値修正手段２０を用いた蓄熱量設定値の修正があったかどうかを判断する。あれば、工程３０８に進み、それ以外は工程３０９に進む。
工程３０８では、蓄熱量設定値Ｑｓを、蓄熱量設定値修正手段２０から入力された修正値に変更する。その後、工程３０９へ進む。
工程３０９で、制御手段１０は蓄熱量算出手段８から、蓄熱量現在値Ｑｐを取得する。
工程３１０では、蓄熱量現在値Ｑｐと蓄熱量設定値Ｑｓを比較し、Ｑｐ≧Ｑｓであれば、工程３１１に進み、それ以外は工程３０９へ戻る。
工程３１１で、加熱手段２の運転を停止して、沸上動作を終了する。
このようにして沸上動作を行うので、蓄熱量設定値修正手段２０を用いた蓄熱量設定値の修正があれば、沸上動作終了時には、蓄熱量設定値修正手段２０より入力された蓄熱量設定値の修正値に等しい蓄熱量が蓄熱される。そのため、通常の季節による変動とは関係ない不規則的な給湯熱量が必要な場合には、ユーザーの入力により、蓄熱量を修正することで湯切れの心配がなく、かつ、消費エネルギーの無駄がないという効果がある。
【産業上の利用可能性】
【００１２】
実施の形態の説明では、密閉タイプの貯湯槽の外部に加熱ユニットを設けているが、開放タイプの貯湯槽を使用した給湯システムや、貯湯槽の内部に加熱手段を設けた給湯システムにも本発明を適用することができる。
【図面の簡単な説明】
【００１３】
【図１】この発明の実施の形態１を示す給湯システムの概略図である。
【図２】この発明の実施の形態１の沸上動作を示すフローチャートである
【図３】この発明の実施の形態１に使用するテーブルデータである
【図４】この発明の実施の形態２、３、４を示す給湯システムの概略図である。
【図５】この発明の実施の形態２、３、４に使用するテーブルデータである
【図６】この発明の実施の形態２の学習動作を示すフローチャートである
【図７】この発明の実施の形態５を示す給湯システムの概略図である
【図８】この発明の実施の形態６を示す給湯システムの概略図である
【図９】この発明の実施の形態６の沸上動作を示すフローチャートである
【図１０】この発明の実施の形態６に使用するテーブルデータである
【図１１】この発明の実施の形態７を示す給湯システムの概略図である
【図１２】この発明の実施の形態７に使用するテーブルデータである
【図１３】この発明の実施の形態７の学習動作を示すフローチャートである
【図１４】この発明の実施の形態８を示す給湯システムの概略図である
【図１５】この発明の実施の形態９を示す給湯システムの概略図である
【図１６】この発明の実施の形態９の沸上動作を示すフローチャートである
【符号の説明】
【００１４】
１  貯湯槽
２  加熱ユニット
３  給水配管
４  給湯配管
５  沸上行き配管
６  沸上戻り配管
７ａ〜７ｃ  温度センサ
８  蓄熱量算出手段
９  蓄熱量設定手段
１０  制御手段
１１  期間別蓄熱量設定手段
１２  期間判断手段
１３  給湯熱量算出手段
１４  給湯熱量記憶手段
１５  期間ルール入力手段
１６  期間日特性別蓄熱量設定手段
１７  日特性判断手段
１８  日特性ルール入力手段
１９  蓄熱量設定値表示手段
２０  蓄熱量設定値修正手段
【図１】
0005163059.tif 000004
【図２】
0005163059.tif 000005
【図３】
0005163059.tif 000006
【図４】
0005163059.tif 000007
【図５】
0005163059.tif 000008
【図６】
0005163059.tif 000009
【図７】
0005163059.tif 000010
【図８】
0005163059.tif 000011
【図９】
0005163059.tif 000012
【図１０】
0005163059.tif 000013
【図１１】
0005163059.tif 000014
【図１２】
0005163059.tif 000015
【図１３】
0005163059.tif 000016
【図１４】
0005163059.tif 000017
【図１５】
0005163059.tif 000018
【図１６】
0005163059.tif 000019